(57)【特許請求の範囲】
【請求項１】
ボイスメールシステムにアクセスするための電話番号を無線電話に自動的に格納する方法であって、
無線起動処理の間に、ボイスメールシステムアクセス電話番号として前記無線電話の移動体識別番号を受信するステップと、
無線電話内の利用可能なメモリ位置を選択するステップと、
受信した移動体識別番号としての自身の電話番号を前記選択された利用可能なメモリ位置に格納するステップと、
を自動的に実行することを特徴とする方法。
【請求項２】
請求項１に記載の方法において、
前記移動体識別番号は、無線による送信、あるいはケーブルによる送信、あるいは前記無線電話に関連するキーパッドを使用した手動入力のいずれかにより取得されることを特徴とする方法。
【請求項３】
請求項１に記載の方法において、
前記選択された利用可能なメモリ位置は、予め定められていることを特徴とする方法。
【請求項４】
ボイスメールシステムにアクセスするための電話番号を無線電話にプログラミングする方法であって、
無線電話ネットワーク内の基地局から前記無線電話にボイスメールシステムアクセス電話番号として移動体識別番号を送信するステップと、
前記無線電話においてボイスメールシステムアクセス電話番号を受信するステップと、
前記無線電話のモードをプログラムモードに設定し、
前記プログラムモードにおいて、
前記無線電話内の利用可能なメモリ位置を選択するステップと、
前記受信したボイスメールシステムアクセス電話番号としての自身の電話番号を、前記選択された利用可能なメモリ位置に格納するステップと、
前記無線電話の前記プログラムモードを終了するステップと、
を自動的に実行することを特徴とする方法。
【請求項５】
コンピュータ読み取りが可能な記録媒体であって、コンピュータシステムに、ボイスメールシステムにアクセスするための電話番号を無線電話にプログラムさせるコンテンツを格納し、
前記コンテンツが、
無線起動処理の間に、ボイスメールシステムアクセス電話番号として前記無線電話の移動体識別番号を受信するステップと、
無線電話内の利用可能なメモリ位置を選択するステップと、
受信した移動体識別番号としての自身の電話番号を前記選択された利用可能なメモリ位置に格納するステップと、
を自動的に実行することを特徴とするコンピュータ読み取り可能な記録媒体。
【請求項６】
請求項５に記載のコンピュータ読み取り可能な記録媒体において、
前記移動体識別番号は、無線による送信、あるいはケーブルによる送信、あるいは前記無線電話に関連するキーパッドを使用した手動入力のいずれかにより取得されることを特徴とするコンピュータ読み取り可能な記録媒体。
【請求項７】
請求項５に記載の記録媒体において、
前記選択された利用可能なメモリ位置は、予め定められていることを特徴とする方法。
【請求項８】
ボイスメールシステムにアクセスするための電話番号を無線電話にプログラミングする装置であって、前記装置は、
無線電話と、
前記無線電話内に設けられた処理装置と、
前記処理装置に接続されたコンピュータにより読み取り可能なメモリセグメントと、
自動電話番号プログラミングモジュールと、
を備え、
前記自動電話番号プログラミングモジュールはコンピュータプログラムコードセグメントを含み、前記コンピュータプログラムコードセグメントは、前記処理装置により実行され、
無線起動処理の間に、ボイスメールシステムアクセス電話番号として前記無線電話の移動体識別番号を受信するステップと、
無線電話内の利用可能なメモリ位置を選択するステップと、
受信した移動体識別番号としての自身の電話番号を前記選択された利用可能なメモリ位置に格納するステップと、
を自動的に実行するモジュールを含むことを特徴とする装置。
【発明の詳細な説明】
【０００１】
【発明の属する技術分野】
本発明は、無線電話のプログラミングに係り、より詳細にはボイスメールシステムアクセス電話番号などの電話番号を無線電話に自動プログラミングする方法に関する。
【０００２】
【従来の技術】
現在、無線電話ネットワーク内において無線電話で電話の着信を行うには、まず無線電話を起動させる必要がある。例えば、無線起動（ＯＡＡ：over the air activation）は、周知の無線電話起動方法の一例である。ＯＡＡによれば、無線電話のユーザはまず、ＰＳＴＮなどのネットワークに接続された無線電話を使用して、無線電話サービスプロバイダを発呼する。無線電話サービスプロバイダの担当者は、ユーザの識別情報を求める。取得した識別情報を認証すると、サービスプロバイダの担当者はユーザに無線電話のスイッチを入れるよう指示する。ユーザが無線電話のスイッチを入れると、担当者により一連のイベントが開始され、その結果、無線電話サービスプロバイダは、無線により（周知の方法で、例えばサービスプロバイダの無線電話ネットワーク内の基地局から）無線電話に起動情報を送信する。この起動情報には、例えば、無線電話が作動中に適当なチャンネルを選択できるようにするインテリジェントローミングデータベース（ＩＲＤＢ）、無線電話の新たに指定された電話番号を表す移動体識別番号（ＭＩＮ）、認証番号、ユーザが予め選択した特定のサービスを無線電話に実行させるためのデータなどを含んでもよい。起動情報を受信すると、無線電話は作動状態になり、着信が可能になる。ここで無線電話のユーザが頻繁に選択するサービスにボイスメールがある。ボイスメールにより、無線電話のユーザが着信した呼に応答できない場合に、発呼者は相手に対して音声メッセージを残すことができる。ボイスメールシステムに接続してボイスメールメッセージをチェックするために、無線電話のユーザは通常、（無線電話のキーパッド上の）ＭＩＮの各桁に対応するボタンを順番に押下することにより、無線電話に指定されたＭＩＮをダイアルする。
【０００３】
ボイスメールシステムへの接続処理を簡素化するため、無線電話のユーザの多くは、ＯＡＡ中にＭＩＮを受信すると、ＭＩＮを「手動で」無線電話にプログラムする。一般的に、このプログラミングステップは以下の通りである。１）無線電話をプログラムモードにする。２）無線電話内のメモリ格納位置を選択する。３）ＭＩＮの各桁に対応する電話のキーパッドボタンを連続的に押下して、選択されたメモリ記憶位置にＭＩＮを記憶する。４）電話のプログラムモードを終了する。無線電話にＭＩＮがプログラムされていれば、ユーザは、ＭＩＮの各桁に対応するキーパッドボタンの数より少ない数（通常は１つのボタンのみ）のボタンを押下することにより、ＭＩＮをダイアルしてボイスメールシステムにアクセスできる。
【０００４】
【発明が解決しようとする課題】
ところが、このような手動による無線電話へのＭＩＮプログラム方法には、いくつかの問題がある。第１に、電話番号を無線電話にプログラムするために必要な処理ステップは、電話のユーザが簡単に実行できない場合がある。さらに、ユーザは、電話番号を無線電話にプログラムする際に間違えることもある。このような誤りの結果、誤った番号が無線電話のメモリにプログラムされてしまう。
【０００５】
従って、無線電話にボイスメールシステムアクセス用の電話番号をプログラムする処理を自動化する技術が要求されている。
【０００６】
【課題を解決するための手段】
本発明は、無線電話にボイスメールシステムアクセス用の電話番号を自動プログラミングする方法を提供する。無線電話がボイスメールシステムアクセス電話番号を受信すると、無線電話内のソフトウェアが、受信したボイスメールアクセス電話番号を無線電話メモリ位置に自動格納する。
【０００７】
【発明の実施の形態】
本発明は、無線電話へのボイスメールシステムアクセス用電話番号のプログラム処理を自動化する。
【０００８】
図１は、本発明の実施形態の実施に適当な無線電話のブロック図である。図１において、無線電話１０１は、例えばエリクソン社（商標）のＤＨ３１８等である。無線電話１０１は、コンピュータによる読み取り可能な記録媒体としてのメモリセグメント１０４に接続された処理装置１０２を含む。コンピュータ読み取り可能なメモリセグメント１０４は、処理装置１０２によって処理される、本発明の実施形態の主要な機能を実行するコンピュータプログラムコードセグメントを記憶している。このコンピュータプログラムコードセグメントは、自動電話番号プログラミングモジュール１０６内に記憶されている。本実施形態においては、コンピュータプログラムコードセグメントを１つのモジュールで示しているが、このモジュールをさらに多くのモジュールに分離しても、本発明の範囲から逸脱せず、構わない。
【０００９】
図２は、本発明の一実施形態により、無線電話にボイスメールシステムアクセス電話番号を自動プログラミングするステップを示すフローチャートである。これらのステップは、例えばコンピュータプログラムとしてまたは周知の信号処理技術を利用したコンピュータハードウェアにより実行できる。ソフトウェアで実行する場合には、コンピュータプログラムインストラクションを、読み出し専用メモリ（ＲＯＭ）、ランダムアクセスメモリ（ＲＡＭ）、磁気ディスク（例えば３．５インチディスケット又はハードドライブ）、光学ディスク（例えばＣＤ−ＲＯＭ）などのコンピュータによる読み出し可能メモリに記憶する。本発明の一実施形態によれば、コンピュータプログラムインストラクションは、自動電話番号プログラミングモジュール１０６内に含まれ、無線電話１０１内に設けられた処理装置１０２により実行される。
【００１０】
ステップ２０２において、無線電話１０１はボイスメールシステムアクセス電話番号を受信する。無線電話の移動局識別番号（ＭＩＮ）がボイスメールシステムのアクセス番号として機能する無線電話ネットワークにおいては、この電話番号を、上記の無線起動（ＯＡＡ）処理の間に受信してもよい。ボイスメールシステムアクセス電話番号を受信後、システムはステップ２０４に進み、無線電話内の利用可能なメモリ位置が選択される。このメモリ位置は、例えば、図１に関連して既に説明したコンピュータ読み出し可能なメモリセグメント１０４などのコンピュータ読み出し可能なメモリセグメント内に設けることができる。次に、ステップ２０６において、システムは、受信したボイスメールシステムアクセス電話番号を選択されたメモリ位置に格納する。
【００１１】
図２に関連して説明した上記ステップを実行後、無線電話のメモリ位置には受信されたボイスメールシステムアクセス電話番号が自動的に記憶されており、ユーザは、無線電話のキーパッドの１つ以上のボタンを押すことにより、無線電話に自動的にボイスメールシステムアクセス番号をダイアルさせることができる。ここで、無線電話のユーザは、ボイスメールシステムアクセス電話番号をメモリ位置内に格納する処理を理解したりまたは実行したりする必要はない。よって、ボイスメールシステムアクセス電話番号が誤って無線電話にプログラムされることがない。また、ボイスメールシステムアクセス電話番号を格納する所定のメモリ位置と、対応する所定のキーパッドボタンとの少なくともいずれかを含み、無線電話に記憶されたボイスメールシステム電話番号をダイアルさせる無線電話としてもよい。
【００１２】
なお、特定の実施形態を上記説明したが、本発明の修正及び変更が、上記の開示に包含され、また本発明の意図される範囲を逸脱することなく添付の請求の範囲に含まれる。ＯＡＡ処理における、ボイスメールシステムアクセス電話番号の受信に加え、無線電話は、無線電話に接続されたケーブルを使用した手動の作動処理によりボイスメールシステムアクセス電話番号を受信してもよいし、あるいは無線電話キーパッドを使用した手動作動処理によりボイスメールシステムアクセス電話番号を受信してもよい。さらに、本発明を修正して、無線電話のユーザが、ボイスメールシステムアクセス電話番号が自動的に格納される特定のメモリ位置を指定できるようにしてもよい。
【図面の簡単な説明】
【図１】  本発明の実施形態の実施に適した無線電話のブロック図である。
【図２】  本発明の実施形態による、無線電話のボイスメールシステムアクセス番号自動プログラミングの処理ステップを示したフロー図である。
【符号の説明】
１０１  無線電話、１０２  処理装置、１０４  コンピュータ読み取り可能なメモリセグメント、１０６  自動電話番号プログラミングモジュール。
【図１】
0004377524.tif 000002
【図２】
0004377524.tif 000003